(57)【要約】【課題】胴周り用弾性部材の収縮力によって後胴周り域のフラップを着用者の胴周り密着させることができる使い捨ておむつを提供する。【解決手段】使い捨ておむつ１Ａには、エンドフラップ１２，１３やサイドフラップ１４，１５，１６よりも高い摩擦力を有する滑り止めシート２０が取り付けられている。滑り止めシート２０は、後胴周り域１０のエンドフラップ１３に取り付けられた胴周り用弾性部材６の横方向両端部６ａの外側近傍に延びるエンドフラップ１３の肌非当接面に固着されている。【選択図】      図１
2005007021.tif 000002
【特許請求の範囲】
【請求項１】
縦方向に前胴周り域および後胴周り域と、それら胴周り域の間に位置する股下域とを備え、前記前後胴周り域間に延びる排泄物吸収部と、前記吸収部の周縁から周方向外方へ延びるフラップ部とを有し、前記吸収部端縁の縦方向外方に位置する前記後胴周り域のフラップ部に横方向へ延びる第１胴周り用弾性部材が収縮可能に取り付けられ、装着時に止着手段を介して前記前後胴周り域を連結する使い捨ておむつにおいて、
前記フラップ部よりも高い摩擦力を有する滑り止めシートが、前記第１胴周り用弾性部材の横方向両端部近傍に延びる前記後胴周り域のフラップ部の肌当接面と肌非当接面とのうちの少なくとも一方に取り付けられていることを特徴とする前記おむつ。
【請求項２】
前記滑り止めシートが、前記第１胴周り用弾性部材の横方向両端部から横方向外方へ延びる仮想延長線上に配置されている請求項１記載のおむつ。
【請求項３】
前記滑り止めシートが、前記吸収部側縁の横方向外方に位置する前記後胴周り域のフラップ部のほぼ全域に取り付けられている請求項１または請求項２に記載のおむつ。
【請求項４】
横方向へ延びる第２胴周り用弾性部材が、前記吸収部端縁の縦方向外方に位置する前記前胴周り域のフラップ部に収縮可能に取り付けられ、前記滑り止めシートが、前記第２胴周り用弾性部材の横方向両端部近傍に延びる前記前胴周り域のフラップ部の肌当接面と肌非当接面とのうちの少なくとも一方に取り付けられている請求項１ないし請求項３いずれかに記載のおむつ。
【請求項５】
前記滑り止めシートが、前記第２胴周り用弾性部材の横方向両端部から横方向外方へ延びる仮想延長線上に配置されている請求項１ないし請求項４いずれかに記載のおむつ。
【請求項６】
前記滑り止めシートが、前記吸収部側縁の横方向外方に位置する前記前胴周り域のフラップ部のほぼ全域に取り付けられている請求項１ないし請求項５いずれかに記載のおむつ。
【請求項７】
前記滑り止めシートの動摩擦係数が、０．５〜１．５の範囲にある請求項１ないし請求項６いずれかに記載のおむつ。
【請求項８】
前記滑り止めシートが、ゴム状弾性を有する熱可塑性合成樹脂繊維から形成された繊維不織布である請求項１ないし請求項７いずれかに記載のおむつ。
【請求項９】
前記滑り止めシートが、ゴム状弾性を有する熱可塑性合成樹脂繊維とポリオレフィン系の熱可塑性合成樹脂繊維とから形成された繊維不織布である請求項１ないし請求項７いずれかに記載のおむつ。
【請求項１０】
前記滑り止めシートには、前記フラップ部の色と異なる色の着色が施されている請求項１ないし請求項９いずれかに記載のおむつ。
【請求項１１】
前記フラップ部が、前記吸収部端縁の縦方向外方に位置して横方向へ延びるエンドフラップと、前記吸収部側縁の横方向外方に位置して縦方向へ延びるサイドフラップとから形成され、前記後胴周り域のサイドフラップが、前記おむつの縦方向と横方向とのうちの少なくとも横方向へ弾性的な伸縮性を有する伸縮性シートから形成されている請求項１ないし請求項１０いずれかに記載のおむつ。
【発明の詳細な説明】
【０００１】
【発明の属する技術分野】
本発明は、排泄物を吸収、保持する使い捨ておむつに関する。
【０００２】
【従来の技術】
縦方向に前後胴周り域およびそれら胴周り域の間に位置する股下域を備え、前後胴周り域間に延びる排泄物吸収部と、吸収部の縦方向外方に位置して横方向へ延びる一対のエンドフラップと、吸収部の横方向外方に位置して縦方向へ延びる一対のサイドフラップとを有し、後胴周り域のサイドフラップに横方向へ延びる一対のテープファスナが取り付けられ、前胴周り域の外面にテープファスナを着脱可能に止着するターゲットテープが取り付けられたオープン型の使い捨ておむつがある（特許文献１）。
【０００３】
テープファスナは、サイドフラップの横方向外端部に固着された固定部と、固定部から横方向外方へ延びる自由部とを有する。テープファスナの自由部には、メカニカルファスナのうちのフックが取り付けられている。ターゲットテープは、横方向へ長い矩形を呈し、その外面にメカニカルファスナのうちのループが取り付けられている。後胴周り域のエンドフラップには、横方向へ延びる糸状の多数の胴周り用弾性部材が収縮可能に取り付けられている。股下域のサイドフラップには、縦方向へ延びる糸状の多数の脚周り用弾性部材が収縮可能に取り付けられている。
【０００４】
保護者や介護者が特許文献１に開示のおむつを着用者に装着する手順は、以下のとおりである。保護者や介護者は、展開させたおむつの上に仰向けにした着用者の臀部を乗せた後、前胴周り域を摘持しておむつの股下域を折り曲げ、前胴周り域を着用者の腹部の上に乗せる。次に、後胴周り域のエンドフラップまたはサイドフラップを指で摘持してエンドフラップを横方向へ伸展させた後、後胴周り域のサイドフラップが着用者の腹部の上に位置するように、テープファスナを指で摘持しながら後胴周り域のサイドフラップを折り曲げる。保護者や介護者は、後胴周り域のサイドフラップを前胴周り域のサイドフラップの外側に重ね合わせ、エンドフラップやサイドフラップによる着用者の胴周りの締め付けを調節しつつ、それらテープファスナの自由部をターゲットテープの外面に交互に止着して前後胴周り域を連結する。テープファスナをターゲットテープに止着するには、テープファスナの自由部をターゲットテープの外面に押し付け、フックとループとを係合させる。前後胴周り域が連結されたおむつには、胴周り開口と一対の脚周り開口とが形成される。
【０００５】
【特許文献１】
特開平１０−３０９２９９号公報
【０００６】
【発明が解決しようとする課題】
特許文献１に開示のおむつは、それを着用者に装着するときに、保護者や介護者が後胴周り域のエンドフラップやサイドフラップを指で摘持して後胴周り域のエンドフラップを横方向へ伸展させ、胴周り用弾性部材を横方向へ伸長させる。しかし、後胴周り域のエンドフラップやサイドフラップの摩擦力が小さいと、それらフラップを摘持する指が滑り、胴周り用弾性部材を横方向へ十分に伸長させることができない場合がある。オープン型のおむつは、その装着時に、胴周り用弾性部材の伸長が不十分であると、胴周り用弾性部材の収縮力を利用して後胴周り域のエンドフラップを着用者の胴周りに密着させることができず、後胴周り域のエンドフラップと着用者の肌との間に隙間が生じ、おむつの着用中に排泄物がエンドフラップからおむつの外側に漏れてしまう場合がある。
【０００７】
本発明の目的は、装着時にフラップ部に取り付けられた胴周り用弾性部材を横方向へ十分に伸長させることができ、胴周り用弾性部材の収縮力によってフラップ部を着用者の胴周りに密着させることができる使い捨ておむつを提供することにある。
【０００８】
【課題を解決するための手段】
前記課題を解決するための本発明の前提は、縦方向に前胴周り域および後胴周り域と、それら胴周り域の間に位置する股下域とを備え、前記前後胴周り域間に延びる排泄物吸収部と、前記吸収部の周縁から周方向外方へ延びるフラップ部とを有し、前記吸収部端縁の縦方向外方に位置する前記後胴周り域のフラップ部に横方向へ延びる第１胴周り用弾性部材が収縮可能に取り付けられ、装着時に止着手段を介して前記前後胴周り域を連結する使い捨ておむつである。
【０００９】
前記前提における本発明の特徴は、前記フラップ部よりも高い摩擦力を有する滑り止めシートが、前記第１胴周り用弾性部材の横方向両端部近傍に延びる前記後胴周り域のフラップ部の肌当接面と肌非当接面とのうちの少なくとも一方に取り付けられていることにある。ここで、胴周り用弾性部材の横方向両端部近傍とは、横方向両端部を含むその近辺または横方向両端部を除くその近辺をいう。このおむつは、保護者や介護者が後胴周り域のフラップ部を横方向へ伸展させるとき、滑り止めシートがフラップ部を摘持する指の滑りを止める。
【００１０】
本発明は、以下の実施態様を有する。
（１）前記滑り止めシートが前記第１胴周り用弾性部材の横方向両端部から横方向外方へ延びる仮想延長線上に配置されている。このおむつは、滑り止めシートを指で摘持して後胴周り域のフラップ部を横方向へ伸展させるとき、その力が第１胴周り用弾性部材に直接作用する。
（２）前記滑り止めシートが前記吸収部側縁の横方向外方に位置する前記後胴周り域のフラップ部のほぼ全域に取り付けられている。このおむつは、後胴周り域のフラップ部のいずれの部分を摘持しても滑り止めシートが指に当接する。
（３）横方向へ延びる第２胴周り用弾性部材が前記吸収部端縁の縦方向外方に位置する前記前胴周り域のフラップ部に収縮可能に取り付けられ、前記滑り止めシートが前記第２胴周り用弾性部材の横方向両端部近傍に延びる前記前胴周り域のフラップ部の肌当接面と肌非当接面とのうちの少なくとも一方に取り付けられている。このおむつは、保護者や介護者が前胴周り域のフラップ部を横方向へ伸展させるとき、滑り止めシートがフラップ部を摘持する指の滑りを止める。
（４）前記滑り止めシートが、前記第２胴周り用弾性部材の横方向両端部から横方向外方へ延びる仮想延長線上に配置されている。このおむつは、滑り止めシートを指で摘持して前胴周り域のフラップ部を横方向へ伸展させるとき、その力が第２胴周り用弾性部材に直接作用する。
（５）前記滑り止めシートが前記吸収部側縁の横方向外方に位置する前記前胴周り域のフラップ部のほぼ全域に取り付けられている。このおむつは、前胴周り域のフラップ部のいずれの部分を摘持しても滑り止めシートが指に当接する。
（６）前記滑り止めシートの動摩擦係数が０．５〜１．５の範囲にある。
（７）前記滑り止めシートがゴム状弾性を有する熱可塑性合成樹脂繊維から形成された繊維不織布である。
（８）前記滑り止めシートがゴム状弾性を有する熱可塑性合成樹脂繊維とポリオレフィン系の熱可塑性合成樹脂繊維とから形成された繊維不織布である。
（９）前記滑り止めシートには、前記フラップ部の色と異なる色の着色が施されている。このおむつは、保護者や介護者がおむつの装着時にフラップ部のうちの指で摘持する部分を確実に認識することができる。
（１０）前記フラップ部が、前記吸収部端縁の縦方向外方に位置して横方向へ延びるエンドフラップと、前記吸収部側縁の横方向外方に位置して縦方向へ延びるサイドフラップとから形成され、前記後胴周り域のサイドフラップが前記おむつの縦方向と横方向とのうちの少なくとも横方向へ弾性的な伸縮性を有する伸縮性シートから形成されている。このおむつは、胴周り用弾性部材と後胴周り域のサイドフラップとの収縮力によってエンドフラップとサイドフラップとが着用者の肌に密着する。
【００１１】
【発明の実施の形態】
添付の図面を参照し、本発明に係る使い捨ておむつの詳細を説明すると、以下のとおりである。
【００１２】
図１，２は、一例として示すおむつ１Ａの部分破断斜視図と、図１のＩＩ−ＩＩ線端面図とであり、図３，４は、図１のＩＩＩ−ＩＩＩ線矢視断面図と、図１のＩＶ−ＩＶ線矢視断面図とである。図１では、横方向を矢印Ｌ、縦方向を矢印Ｍで示し、厚み方向を矢印Ｎで示す。なお、表裏面シート２，３や防漏シート５の内面とは、コア４に対向する面をいい、それらシート２，３，５の外面とは、コア４に非対向の面をいう。また、エンドフラップ１２，１３やサイドフラップ１４，１５，１６の肌当接面とは、着用者の肌に対向する面をいい、それらフラップ１２，１３，１６の肌非当接面とは、着用者の肌に非対向の面をいう。
【００１３】
おむつ１Ａは、肌当接側に位置する透液性表面シート２および肌非当接側に位置する不透液性裏面シート３と、表裏面シート２，３の間に介在する吸液性コア４と、一対の防漏シート５とを主要な構成部材とする。おむつ１Ａは、それら構成部材の他に、帯状の第１および第２胴周り用弾性部材６Ａ，６Ｂと糸状の多数の脚周り用弾性部材７とを有する。
【００１４】
おむつ１Ａは、縦方向に前胴周り域８および後胴周り域１０と、それら胴周り域８，１０の間に位置する股下域９とを備え、コア４が位置してその液吸収機能が作用する排泄物吸収部１１と、吸収部１１の両端縁１１ａ（コア４の両端縁４ａ）の縦方向外方に位置して横方向へ延びる一対のエンドフラップ１２，１３（フラップ部）と、吸収部１１の両側縁１１ｂ（コア４の両側縁４ｂ）の横方向外方に位置して縦方向へ延びる一対のサイドフラップ１４，１５，１６（フラップ部）とを有する。おむつ１Ａは、前後胴周り域８，１０のサイドフラップ１４，１６の横方向の長さ寸法が股下域９のサイドフラップ１５の横方向のそれよりも大きく、その平面形状が実質的に砂時計型を呈する。
【００１５】
排泄物吸収部１１は、前後胴周り域８，１０と股下域９との横方向中央に位置し、股下域９から前後胴周り域８，１０に向かって縦方向へ延びている。第１および第２胴周り用弾性部材６Ａ，６Ｂは、前後胴周り域８，１０のエンドフラップ１２，１３に配置されて横方向へ延びている。それら弾性部材６Ａ，６Ｂは、フラップ１２，１３に収縮可能に取り付けられている。脚周り用弾性部材７は、股下域９のサイドフラップ１５に配置されて縦方向へ延びている。弾性部材７は、フラップ１５に収縮可能に取り付けられている。
【００１６】
表面シート２は、通気親水性繊維不織布１７から形成されている。裏面シート３は、互いに重なり合う通気不透液性プラスチックフィルム１８と通気疎水性繊維不織布１９とから形成されている。裏面シート３では、フィルム１８が肌当接側に位置するとともに、不織布１９が肌非当接側に位置している。フィルム１８と不織布１９とは、それらの対向面が接着剤（図示せず）を介して断続的に接合されている。コア４は、表面シート２と裏面シート３とのうちの少なくとも一方の内面に固着されている。
【００１７】
コア４は、粒子状や繊維状の高吸収性ポリマーとフラッフパルプとの混合物、または、粒子状や繊維状の高吸収性ポリマーとフラッフパルプと熱可塑性合成樹脂繊維との混合物であり、所定の厚みに圧縮されている。コア４は、その型崩れやポリマーの脱落を防止するため、全体がティッシュペーパーや親水性繊維不織布等の透液性シートに包被されていることが好ましい。ポリマーには、デンプン系、セルロース系、合成ポリマー系を使用することができる。
【００１８】
エンドフラップ１２，１３は、コア４の端縁４ａから縦方向外方へ延びる表面シート２の端部２ａと裏面シート３の端部３ａとから形成されている。エンドフラップ１２，１３では、それらシート２，３の端部２ａ，３ａが互いに重なり合った状態で、それらシート２，３の内面どうしが固着されている。胴周り用弾性部材６Ａ，６Ｂは、表面シート２の端部２ａと裏面シート３の端部３ａとの間に介在し、横方向へ所定の倍率に伸長させた状態でそれらシート２，３の内面に固着されている。
【００１９】
後胴周り域１０のエンドフラップ１３の肌非当接面には、エンドフラップ１３やサイドフラップ１６よりも高い摩擦力を有する一対の滑り止めシート２０が取り付けられている。滑り止めシート２０は、第１胴周り用弾性部材６Ａの横方向両端部６ａの外側近傍に延びるエンドフラップ１３に取り付けられている。シート２０は、弾性部材６Ａの両端部６ａから横方向外方へ延びる仮想延長線２１上に配置されている。シート２０は、その全体に塗布された接着剤（図示せず）を介して裏面シート３の端部３ａ外面に固着されている。
【００２０】
滑り止めシート２０は、その平面形状が縦方向へ長いほぼ矩形を呈する。シート２０は、横方向の長さ寸法が１０〜２０ｍｍ、縦方向の長さ寸法が１０〜４０ｍｍの範囲にあることが好ましい。滑り止めシート２０は、その平面形状が円形や楕円形、三角形等でもよく、平面形状を矩形に限定するものではない。滑り止めシート２０には、エンドフラップ１３やサイドフラップ１６の色と異なる色の着色が施されている。たとえば、エンドフラップ１３やサイドフラップ１６の色が乳白色の場合、シート２０は、白色以外の有彩色に着色されている。色は、赤、緑、黄、青等のいずれでもよく、特に限定はない。
【００２１】
滑り止めシート２０は、ゴム状弾性を有する熱可塑性合成樹脂製の弾性繊維と熱可塑性合成樹脂製の非弾性繊維とから形成された繊維不織布２２である。弾性繊維は、互いに交絡するとともに、交差部位で熱融着によって接合している。非弾性繊維は、互いに交絡するとともに、交差部位で熱融着によって接合している。弾性繊維と非弾性繊維とは、それら繊維が互いに交絡するとともに、それら繊維の交差部位で繊維どうしが熱融着によって接合している。
【００２２】
滑り止めシート２０は、メルトブローン法やスパンボンド法によって製造することができる。なお、繊維不織布２２は、ゴム状弾性を有する熱可塑性合成樹脂製の弾性繊維のみから形成されていてもよい。この場合、弾性繊維は、互いに交絡するとともに、交差部位で熱融着によって接合している。
【００２３】
弾性繊維を形成する熱可塑性合成樹脂には、スチレン系ブロック共重合体やポリウレタン系ブロック共重合体、ポリエステル系ブロック共重合体、ポリアミド系ブロック共重合体、共重合体ブレンドのいずれかを使用することができる。スチレン系ブロック共重合体としては、スチレン−ブタジエン−スチレン（Ｓ−Ｂ−Ｓ）やスチレン−エチレンブタジエン−スチレン（Ｓ−ＥＢ−Ｓ）を使用することができる。共重合体ブレンドとしては、スチレン−エチレンブタジエン−スチレン／ポリプロピレン（Ｓ−ＥＢ−Ｓ／ＰＰ）やポリプロピレン／エチレン−プロピレン（ＰＰ／Ｅ−Ｐ）を使用することができる。非弾性繊維を形成する熱可塑性合成樹脂には、ポリオレフィン系を使用することができる。ポリオレフィン系としては、ポリアミド系、ポリエステル系、ポリエチレン系、ポリプロピレン系のいずれかを使用することができる。
【００２４】
メルトブローン法は、乾式紡糸型に分類され、熱可塑性合成樹脂を溶融紡糸するとともに、紡糸ノズルの出口に高温・高圧の空気流を噴射して繊維を延伸かつ開繊した後、繊維をネットコンベア上で捕集し、ウェブ化する製造方法である。繊維は、ネットコンベア上で開繊堆積するとともに、繊維どうしが互いの交差部分で熱融着する。メルトブローン法によって製造された繊維不織布（メルトブローン不織布）は、極細繊維から形成され、繊維密度が高く、高い耐水性を有する。
【００２５】
スパンボンド法は、メルトブローン法と同様に乾式紡糸型に分類され、熱可塑性合成樹脂を溶融紡糸かつ延伸することによって作られた複数条の連続繊維をネットコンベア上で捕集し、ウェブ化する製造方法である。繊維は、ネットコンベア上で開繊堆積するとともに、繊維どうしが互いの交差部分で熱融着する。スパンボンド法によって製造された繊維不織布（スパンボンド不織布）は、連続繊維から形成されており、高い柔軟性と高い強度とを有する。
【００２６】
滑り止めシート２０を形成する繊維不織布２２に着色を施すには、製造した不織布２２を塗料に浸漬させて塗料を乾燥させる方法、塗料を混合した熱塑性合成樹脂を紡糸して不織布２２を製造する方法がある。
【００２７】
後胴周り域１０のサイドフラップ１６は、横方向へ弾性的な伸縮性を有する伸縮性シート２３から形成されている。伸縮性シート２３は、２枚の通気疎水性繊維不織布２４と、それら不織布２４の間に介在する通気不透液性かつ伸縮性のプラスチックフィルム２５とから形成されている。
【００２８】
伸縮性シート２３の製造方法の一例としては、横方向へ伸長させた状態にある伸縮性のプラスチックフィルム２５の両面に不織布２４を重ね合わせて接合する。プラスチックフィルム２５の伸長が解除されると、フィルム２５が横方向へ収縮するとともに不織布２４が横方向へ縮み、不織布２４に多数の皺が形成される。不織布２４とフィルム２５とは、それらの対向面が重なり合った状態で、それらがほぼ均一に分布する多数の熱融着部２６を介して部分的に接合されている。不織布２４とフィルム２５との接合には、ヒートシールやソニックシール等の熱による溶着手段を利用することができる。不織布２４とフィルム２５とは、熱融着部２６ではなく、接着剤を介して接合されていてもよい。伸縮性シート２３では、不織布２４がポリオレフィン系熱可塑性合成樹脂製の非弾性繊維から形成され、プラスチックフィルム２５がゴム状弾性を有する熱可塑性合成樹脂から形成されている。
【００２９】
なお、サイドフラップ１６は、１枚の通気疎水性繊維不織布２４と、通気不透液性かつ伸縮性のプラスチックフィルム２５とから形成されていてもよい。この場合は、横方向へ伸長させた状態にある伸縮性のプラスチックフィルム２５の片面に不織布２４を重ね合わせて接合する。
【００３０】
サイドフラップ１６は、その横方向内端部１６ａが裏面シート３の側部３ｂと防漏シート５の後記する固定側部５ａとの間に介在し、内端部１６ａがそれらシート３，５の内面に接着剤（図示せず）を介して固着されている。サイドフラップ１６の横方向外端部１６ｂには、横方向へ延びるテープファスナ２７（止着手段）が取り付けられている。テープファスナ２７は、サイドフラップ１６の外端部１６ｂに接着剤（図示せず）を介して固着された固定部２７ａと、固定部２７ａから横方向外方へ延びる自由部２７ｂとを有する。テープファスナ２７には、熱可塑性合成樹脂製の非弾性繊維から形成された繊維不織布または熱可塑性合成樹脂製のプラスチックフィルムが使用されている。自由部２７ｂには、おむつ１Ａの厚み方向へ向かって延びる熱可塑性合成樹脂製の多数のフック２８が取り付けられている。自由部２７ｂには、フック２８ではなく、粘着剤が塗布されていてもよい。
【００３１】
前胴周り域８には、テープファスナ２７の自由部２７ｂを着脱可能に止着するターゲットテープ２９（止着手段）が取り付けられている。ターゲットテープ２９は、横方向へ長い矩形を呈し、裏面シート３の外面に接着剤（図示せず）を介して断続的または連続的に固着されている。ターゲットテープ２９には、熱可塑性合成樹脂製の非弾性繊維から形成された繊維不織布または熱可塑性合成樹脂製のプラスチックフィルムが使用されている。ターゲットテープ２９の外面には、おむつ１Ａの厚み方向へ向かって弧を画く熱可塑性合成樹脂製の多数のループ３０が取り付けられている。テープファスナ２７の自由部２７ｂに粘着剤を塗布する場合は、ターゲットテープ２９にプラスチックフィルムが使用される。
【００３２】
前胴周り域８および股下域９のサイドフラップ１４，１５は、コア４の側縁４ｂから横方向外方へ延びる表裏面シート２，３の側部２ｂ，３ｂと防漏シート５の固定側部５ａとから形成されている。サイドフラップ１４，１５では、表面シート２の側部２ｂがコア４の側縁４ｂから横方向外方へわずかに延び、側部２ｂからさらに横方向外方へ裏面シート３の側部３ｂと防漏シート５の側部５ａとが延びている。サイドフラップ１４，１５では、それらシート２，３，５の側部２ｂ，３ｂ，５ａが互いに重なり合った状態で、それらシート２，３，５の内外面が固着されている。脚周り用弾性部材７は、裏面シート３の側部３ｂと防漏シート５の側部５ａとの間に介在し、横方向へ所定の倍率に伸長させた状態でそれらシート３，５の内面に固着されている。
【００３３】
防漏シート５は、通気疎水性繊維不織布３１から形成されている。防漏シート５は、サイドフラップ１４，１５，１６に位置して縦方向へ延びる固定側部５ａと、表面シート２の上方へ起立性向を有して縦方向へ延びる可動部５ｂと、エンドフラップ１２，１３に位置しておむつ１Ａの横方向内方へ倒伏した固定両端部５ｃとを有する。可動部５ｂの上方には、縦方向へ延びる伸縮性弾性部材３２が収縮可能に取り付けられている。弾性部材３２は、可動部５ｂの一部に覆われた状態で、可動部５ｂに接着剤（図示せず）を介して固着されている。固定両端部５ｃは、表面シート２の端部２ａ外面に固着されている。防漏シート５では、おむつ１Ａが表面シート２を内側にして縦方向へ湾曲すると、弾性部材３２が収縮して可動部５ｂが表面シート２の上方へ起立し、可動部５ｂが排泄物に対する障壁を形成する。
【００３４】
図５，６は、装着の途中の状態を示すおむつ１Ａの斜視図である。図５，６では、着用者を二点差線で示す。保護者や介護者がおむつ１Ａを着用者に装着する手順の一例は、以下のとおりである。展開させたおむつ１Ａの上に仰向けにした着用者の臀部を乗せた後、後胴周り域１０のエンドフラップ１３のうちの第１胴周り用弾性部材６Ａの横方向両端部６ａの外側近傍に延びる部分を両手の指で摘持し、後胴周り域１０のエンドフラップ１３を矢印Ｌ１で示す横方向へ伸展させるとともに、弾性部材６Ａを横方向へ伸長させる。このとき、保護者や介護者は、フラップ１３に取り付けられた滑り止めシート２０を指で摘持した状態にある（図５参照）。
【００３５】
エンドフラップ１３を伸展させた後、保護者や介護者は、前胴周り域８を摘持し、おむつ１Ａの股下域９を折り曲げて前胴周り域８を着用者の腹部の上に乗せ、図５の右方に位置する滑り止めシート２０の一方を左手の指で摘持し、図５の右方に位置するテープファスナ２７の一方を右手の指で摘持する。左手でエンドフラップ１３を伸展させ、右手でサイドフラップ１６の一方を伸長させながら、サイドフラップ１６が着用者の腹部の上に位置するように、サイドフラップ１６を折り曲げるとともに、サイドフラップ１６を前胴周り域８のエンドフラップ１２とサイドフラップ１４との外側に重ね合わせ、フック２８を介してテープファスナ２７の自由部２７ｂをターゲットテープ２９の外面に止着する。
【００３６】
次に、図５の左方に位置する滑り止めシート２０の他方を右手の指で摘持し、図５の左方に位置するテープファスナ２７の他方を左手の指で摘持する（図６参照）。右手でエンドフラップ１３を伸展させ、左手でサイドフラップ１６の他方を伸長させながら、サイドフラップ１６が着用者の腹部の上に位置するように、サイドフラップ１６を折り曲げるとともに、サイドフラップ１６を前胴周り域８のエンドフラップ１２とサイドフラップ１４との外側に重ね合わせ、フラップ１３，１６による着用者の胴周りの締め付けを調節しつつ、フック２８を介してテープファスナ２７の自由部２７ｂをターゲットテープ２９の外面に止着する。
【００３７】
テープファスナ２７をターゲットテープ２９に止着するには、テープファスナ２７の自由部２７ｂをターゲットテープ２９の外面に押し付け、フック２８とループ３０とを係合させる。前後胴周り域８，１０が連結されたおむつ１Ａには、胴周り開口と一対の脚周り開口とが形成される（図示せず）。おむつ１Ａの着用中に排泄された排泄物は、排泄物吸収部１１において表面シート２を透過してコア４に吸収、保持される。
【００３８】
保護者や介護者は、滑り止めシート２０を指で摘持しながらエンドフラップ１３を横方向へ伸展させるので、エンドフラップ１３を摘持する指が滑ることはなく、第１胴周り用弾性部材６Ａを横方向へ十分に伸長させた状態で着用者におむつ１Ａを装着することができる。おむつ１Ａは、後胴周り域１０のエンドフラップ１３が弾性部材６Ａの収縮力によって着用者の胴周りに密着するので、後胴周り域１０のエンドフラップ１３と着用者の肌との間に隙間が生じることはなく、おむつ１Ａの着用中に排泄物がエンドフラップ１３からおむつ１Ａの外側に漏れてしまうことはない。おむつ１Ａは、滑り止めシート２０が胴周り用弾性部材６Ａの横方向両端部６ａから横方向外方へ延びる仮想延長線２１上に配置され、シート２０を指で摘持してフラップ１３を横方向へ伸展させたときに、その力が弾性部材６Ａに直接作用するので、弾性部材６Ａを横方向へ確実に伸長させることができる。
【００３９】
おむつ１Ａは、テープファスナ２７の自由部２７ｂをターゲットテープ２９に止着するときに、伸縮性シート２３から形成された後胴周り域１０のサイドフラップ１６が横方向へ伸長されるので、フラップ１６を着用者の胴周りの締め付けに利用することができる。おむつ１Ａは、第１および第２胴周り用弾性部材６Ａ，６Ｂとサイドフラップ１６との収縮力によって前後胴周り域８，１０のエンドフラップ１２，１３とサイドフラップ１４，１６とが着用者の胴周りに密着し、それらフラップ１２，１３，１４，１６がずれ動くことはなく、おむつ１Ａの着用位置からのずれ下がりを防ぐことができる。
【００４０】
おむつ１Ａは、滑り止めシート２０にそれらフラップ１３，１６と異なる色の着色が施されているので、保護者や介護者がおむつ１Ａの装着時にエンドフラップ１３のうちの指で摘持する部分を確実に認識することができる。おむつ１Ａは、その外側に下穿きを着用すると、滑り止めシート２０がその摩擦力によって下穿きの内側にへばりつくので、下穿きが支えとなっておむつ１Ａのずれ下がりを防ぐことができる。
【００４１】
おむつ１Ａでは、滑り止めシート２０の横方向の動摩擦係数が０．５〜１．５の範囲にある。シート２０の動摩擦係数が０．５未満では、保護者や介護者がエンドフラップ１３を横方向へ伸展させるときに、フラップ１３を摘持する指が滑る場合があり、胴周り用弾性部材６Ａの伸長が不十分な状態でおむつ１Ａを装着してしまう場合がある。なお、滑り止めシート２０の動摩擦係数は、ＪＩＳ  Ｐ８１４７の３．１頁に記載の方法に準拠して測定した。動摩擦係数の測定の概略を図７に示す。
（１）動摩擦係数の測定には、平滑な下面４０ａを有する可動プレート４０と、平滑な上面４１ａを有する固定プレート４１とを使用する。可動プレート４０の下面４０ａは、幅寸法３ｃｍ、長さ寸法３ｃｍである。動摩擦係数測定用滑り止めシート４２を用意するとともに、人工皮革４３（出光石油株式会社製の商品名サプラーレを使用）を用意する。
（２）測定用滑り止めシート４２を可動プレート４０の下面４０ａに取り付ける。測定用滑り止めシート４２は、可動プレート４０の下面４０ａに両面粘着テープを介して固定する。固定プレート４１の上面４１ａに人工皮革４３を取り付ける。人工皮革４３は、固定プレート４１の上面４１ａに両面粘着テープを介して固定する。可動プレート４０は、下面４０ａの面積が９ｃｍ２であり、下面４０ａに５８ｇ／９ｃｍ２の荷重が加わるように、分銅４４によって可動プレート４０全体の重量を調節する。
（３）動摩擦係数の測定では、可動プレート４０を錘として使用する。可動プレート４０を図６に矢印Ｋ１で示す方向へ１０ｃｍ／ｍｉｎの速度で移動させる。動摩擦係数は、可動プレート４０を５ｃｍ移動させる間の摩擦力から求める。具体的には、動摩擦係数を式：μ＝ＦＤ／ＦＰによって算出する。ここで、μは、動摩擦係数であり、ＦＤは、可動プレート４０を５ｃｍ移動させる間の摩擦力である。ＦＰは、第１試料４２と第２試料４３との接触面に矢印Ｋ２で示す垂直方向に作用する力である。
【００４２】
滑り止めシート２０は、引張強度が３０〜７０Ｎ／ｉｎｃｈの範囲、坪量が３０〜１００ｇ／ｍ２未範囲にあり、厚み寸法が０．２〜０．７ｍｍの範囲にある。滑り止めシート２０の坪量が３０ｇ／ｍ２未満であって厚み寸法が０．２ｍｍ未満では、シート２０の引張強度が低下し、シート２０を指で摘持してフラップ１３を横方向へ伸展させるときに、シート２０が破損してしまう場合がある。滑り止めシート２０の坪量が１００ｇ／ｍ２を超過するとともに厚み寸法が０．７ｍｍを超過すると、シート２０の剛性が増加し、シート２０が肌に接したときに不快感がある。
【００４３】
滑り止めシート２０を形成する弾性繊維と非弾性繊維とは、それらの繊度が０．５〜２０μｍの範囲にある。弾性繊維と非弾性繊維との繊度が０．５μｍ未満では、それら繊維が繊維切れを起こし易く、滑り止めシート２０の動摩擦係数が０．５未満になってしまう場合がある。
【００４４】
第１および第２胴周り用弾性部材６Ａ，６Ｂは、横方向における伸長応力が０．１〜３．０Ｎの範囲にあることが好ましく、後胴周り域１０のサイドフラップ１６は、横方向における伸長応力が２．０〜１０Ｎの範囲にあることが好ましい。弾性部材６Ａ，６Ｂの伸長応力が３．０Ｎを超過するとともにフラップ１６の伸長応力が１０Ｎを超過すると、弾性部材６Ａ，６Ｂやフラップ１３が着用者の胴周りを必要以上に締め付けてしまうので、装着したおむつ１Ａに対する不快感がある。弾性部材６Ａ，６Ｂの伸長応力が０．１Ｎ未満かつフラップ１６の伸長応力が２．０Ｎ未満では、弾性部材６Ａ，６Ｂやフラップ１３の収縮力が実質的に作用せず、エンドフラップ１２，１３やサイドフラップ１４，１６を着用者の肌に密着させることができない。
【００４５】
おむつ１Ａでは、滑り止めシート２０がエンドフラップ１３の肌非当接面と肌当接面とに取り付けられていてもよく、シート２０がエンドフラップ１３の肌当接面のみに取り付けられていてもよい。シート２０をエンドフラップ１３の肌当接面に取り付ける場合は、シート２０が防漏シート５の固定端部５ｃに固着される。また、滑り止めシート２０は、胴周り弾性部材６Ａの横方向両端部６ａの外側近傍に延びるエンドフラップ１３とともに胴周り弾性部材６Ａの両端部６ａ上に取り付けられていてもよい。
【００４６】
図８，９は、他の一例として示すおむつ１Ｂの部分破断斜視図と、図８のＩＸ−ＩＸ線端面図とであり、図１０，１１は、図８のＸ−Ｘ線矢視断面図と、図８のＸＩ−ＸＩ線矢視断面図とである。図８では、横方向を矢印Ｌ、縦方向を矢印Ｍで示し、厚み方向を矢印Ｎで示す。
【００４７】
おむつ１Ｂは、透液性表面シート２および不透液性裏面シート３と、表裏面シート２，３の間に介在してそれらシート２，３のうちの少なくとも一方の内面に固着された吸液性コア４と、防漏シート５とを主要な構成部材とする。表面シート２は、図１のそれと同一の不織布１７から形成され、裏面シート３は、図１のそれと同一のフィルム１８と不織布１９とから形成されている。コア４は、図１のそれと同一である。
【００４８】
おむつ１Ｂは、縦方向に前後胴周り域８，１０およびそれら胴周り域８，１０の間に位置する股下域９を備え、前後胴周り域８，１０間に延びていてコア４の液吸収機能が作用する排泄物吸収部１１と、吸収部１１の両端縁１１ａの縦方向外方に位置して横方向へ延びる一対のエンドフラップ１２，１３（フラップ部）と、吸収部１１の両側縁１１ｂの横方向外方に位置して縦方向へ延びる一対のサイドフラップ１４，１５，１６（フラップ部）とを有する。エンドフラップ１２，１３には、横方向へ延びる帯状の第１および第２胴周り用弾性部材６Ａ，６Ｂが収縮可能に取り付けられている。股下域９のサイドフラップ１５には、縦方向へ延びる複数条の脚周り用弾性部材７が収縮可能に取り付けられている。
【００４９】
エンドフラップ１２，１３は、コア４の端縁４ａから縦方向外方へ延びる表面シート２の端部２ａと裏面シート３の端部３ａとから形成されている。エンドフラップ１２，１３では、それらシート２，３の端部２ａ，３ａが互いに重なり合った状態で固着されている。胴周り用弾性部材６Ａ，６Ｂは、表面シート２の端部２ａと裏面シート３の端部３ａとの間に介在し、それらシート２，３の内面に固着されている。
【００５０】
サイドフラップ１４，１５，１６は、コア４の側縁４ｂから横方向外方へ延びる表裏面シート２，３の側部２ｂ，３ｂと防漏シート５の固定側部５ａとから形成されている。サイドフラップ１４，１５，１６では、側部２ｂがコア４の側縁４ｂから横方向外方へわずかに延び、側部２ｂからさらに横方向外方へ側部３ｂと側部５ａとが延びている。サイドフラップ１４，１５，１６では、それらシート２，３，５の側部２ｂ，３ｂ，５ａが互いに重なり合った状態で固着されている。脚周り用弾性部材７は、裏面シート３の側部３ｂと防漏シート５の側部５ａとの間に介在し、それらシート３，５の内面に固着されている。
【００５１】
後胴周り域１０のサイドフラップ１６の横方向外端部１６ｂには、横方向へ延びるテープファスナ２７（止着手段）が取り付けられている。テープファスナ２７は、外端部１６ｂに固着された固定部２７ａと、固定部２７ａから横方向外方へ延びる自由部２７ｂとを有する。自由部２７ｂには、おむつ１Ｂの厚み方向へ向かって延びる多数のフック２８が取り付けられている。テープファスナ２７やフック２８には、図１のそれらと同一の素材が使用されている。
【００５２】
前胴周り域８には、テープファスナ２７の自由部２７ｂを着脱可能に止着するターゲットテープ２９（止着手段）が取り付けられている。ターゲットテープ２９は、裏面シート３の外面に固着されている。ターゲットテープ２９には、おむつ１Ｂの厚み方向へ向かって弧を画く多数のループ３０が取り付けられている。ターゲットテープ２９やループ３０には、図１のそれらと同一の素材が使用されている。
【００５３】
後胴周り域１０のエンドフラップ１３およびサイドフラップ１６の肌非当接面には、それらフラップ１３，１６よりも高い摩擦力を有する滑り止めシート２０が取り付けられている。シート２０は、第１胴周り用弾性部材６Ａの横方向両端部６ａの外側近傍に延びるエンドフラップ１３と、サイドフラップ１６のほぼ全域とに取り付けられている。エンドフラップ１３に取り付けられたシート２０は、弾性部材６Ａの両端部６ａから横方向外方へ延びる仮想延長線２１上に配置されている。シート２０は、その全体に塗布された接着剤（図示せず）を介してエンドフラップ１３を形成する裏面シート３の端部３ａ外面とサイドフラップ１６を形成する裏面シート３の側部３ｂ外面とに固着されている。シート２０には、図１のそれと同様に、エンドフラップ１３やサイドフラップ１４，１５，１６の色と異なる色の着色が施されている。
【００５４】
滑り止めシート２０は、ゴム状弾性を有する熱可塑性合成樹脂製の弾性繊維から形成された繊維不織布２２、または、ゴム状弾性を有する熱可塑性合成樹脂製の弾性繊維と熱可塑性合成樹脂製の非弾性繊維とから形成された繊維不織布２２である。シート２０は、メルトブローン法によって製造されたメルトブローン不織布またはスパンボンド法によって製造されたスパンボンド不織布を使用することができる。弾性繊維を形成する熱可塑性合成樹脂と非弾性繊維を形成する熱可塑性合成樹脂とには、図１のそれらと同一のものを使用することができる。
【００５５】
防漏シート５は、図１のそれと同一の不織布３１から形成されている。防漏シート５は、サイドフラップ１４，１５，１６に位置して縦方向へ延びる固定側部５ａと、表面シート２の上方へ起立性向を有する可動部５ｂと、エンドフラップ１２，１３に位置しておむつ１Ｂの横方向内方へ倒伏した固定両端部５ｃとを有する。可動部５ｂの上方には、縦方向へ延びる伸縮性弾性部材３２が収縮可能に取り付けられている。
【００５６】
滑り止めシート２０の動摩擦係数と動摩擦係数の測定方法とは、図１のそれらと同一である。シート２０の引張強度や坪量、厚み寸法は、図１のそれらと同一である。また、シート２０を形成する弾性繊維や非弾性繊維の繊度は、図１のそれと同一である。第１および第２胴周り用弾性部材６Ａ，６Ｂの横方向の伸長応力は、図１のそれと同一である。
【００５７】
このおむつ１Ｂの装着手順は、図１のそれと同一であり、その説明は省略する。保護者や介護者は、滑り止めシート２０を指で摘持しながらエンドフラップ１３を横方向へ伸展させるので、エンドフラップ１３を摘持する指が滑ることはなく、胴周り用弾性部材６Ａを横方向へ十分に伸長させた状態で着用者におむつ１Ｂを装着することができる。おむつ１Ｂは、後胴周り域１０のエンドフラップ１３が弾性部材６Ａの収縮力によって着用者の胴周りに密着するので、後胴周り域１０のエンドフラップ１３と着用者の肌との間に隙間が生じることはなく、おむつ１Ｂの着用中に排泄物がエンドフラップ１３からおむつ１Ｂの外側に漏れてしまうことはない。
【００５８】
おむつ１Ｂは、サイドフラップ１６の肌非当接面に滑り止めシート２０が取り付けられているので、サイドフラップ１６を伸展させるときに、サイドフラップ１６を摘持する指が滑ることはなく、おむつ１Ｂの装着が容易であることはもちろん、エンドフラップ１３やサイドフラップ１６による着用者の胴周りの締め付けの調節がし易い。おむつ１Ｂは、その外側に下穿きを着用すると、滑り止めシート２０がその摩擦力によって下穿きの内側にへばりつくので、下穿きが支えとなっておむつ１Ｂのずれ下がりを防ぐことができる。
【００５９】
おむつ１Ｂでは、滑り止めシート２０がエンドフラップ１３とサイドフラップ１６との肌非当接面と肌当接面とに取り付けられていてもよく、シート２０がそれらフラップ１３，１６の肌当接面のみに取り付けられていてもよい。
【００６０】
図１２，１３は、他の一例として示すおむつ１Ｃの部分破断斜視図と、図１２のＸＩＩＩ−ＸＩＩＩ線端面図とであり、図１４，１５は、装着の途中の状態を示すおむつ１Ｃの斜視図である。図１２では、横方向を矢印Ｌ、縦方向を矢印Ｍで示し、厚み方向を矢印Ｎで示す。図１４，１５では、着用者を二点差線で示す。
【００６１】
このおむつ１Ｃは、図１のおむつ１Ａのエンドフラップ１２に滑り止めシート３３を取り付けた形態である。おむつ１Ｃのその他の構成は、図１のおむつ１Ａと同一であり、図１のおむつ１Ａと同一の符号を付してその他の構成の説明を省略する。
【００６２】
おむつ１Ｃでは、前胴周り域８のエンドフラップ１２（フラップ部）の肌非当接面にエンドフラップ１２よりも高い摩擦力を有する一対の滑り止めシート３３が取り付けられている。滑り止めシート３３は、第２胴周り用弾性部材６Ｂの横方向両端部６ｂの外側近傍に延びるエンドフラップ１２に取り付けられている。シート３３は、弾性部材６Ｂの両端部６ｂから横方向外方へ延びる仮想延長線３４上に配置され、その全体に塗布された接着剤（図示せず）を介して裏面シート３の端部３ａ外面に固着されている。
【００６３】
滑り止めシート３３は、図１のそれと同一であり、ゴム状弾性を有する熱可塑性合成樹脂製の弾性繊維から形成された繊維不織布２２、または、ゴム状弾性を有する熱可塑性合成樹脂製の弾性繊維と熱可塑性合成樹脂製の非弾性繊維とから形成された繊維不織布２２であり、その平面形状が縦方向へ長いほぼ矩形を呈する。滑り止めシート３３には、エンドフラップ１２やサイドフラップ１４の色と異なる色の着色が施されている。おむつ１Ｃでは、滑り止めシート２０，３３がエンドフラップ１２，１３の肌非当接面と肌当接面とに取り付けられていてもよく、シート２０，３３がフラップ１２，１３の肌当接面のみに取り付けられていてもよい。
【００６４】
保護者や介護者がおむつ１Ｃを着用者に装着する手順の一例は、以下のとおりである。保護者や介護者は、展開させたおむつ１Ｃの上にうつ伏せにした着用者の腹部を乗せた後、前胴周り域８のエンドフラップ１２のうちの第２胴周り用弾性部材６Ｂの横方向両端部６ｂの外側近傍に延びる部分を両手の指で摘持し、前胴周り域８のエンドフラップ１２を矢印Ｌ２で示す横方向へ伸展させるとともに、弾性部材６Ｂを横方向へ伸長させる。このとき、保護者や介護者は、フラップ１２に取り付けられた滑り止めシート３３を指で摘持した状態にある（図１４参照）。
【００６５】
フラップ１２を伸展させた後、保護者や介護者は、後胴周り域１０を摘持し、おむつ１Ｃの股下域９を折り曲げて後胴周り域１０を着用者の臀部の上に乗せ、図５の右方に位置する滑り止めシート３３の一方を左手の指で摘持し、図５の右方に位置するテープファスナ２７の一方を右手で摘持する。左手でエンドフラップ１２を伸展させ、右手でサイドフラップ１６の一方を伸長させながら、サイドフラップ１６が着用者の腹部の側に位置するように、サイドフラップ１６を折り曲げるとともに、サイドフラップ１６を前胴周り域８のエンドフラップ１２とサイドフラップ１４との外側に重ね合わせ、フック２８を介してテープファスナ２７の自由部２７ｂをターゲットテープ２９の外面に止着する。
【００６６】
次に、図５の左方に位置する滑り止めシート３３の他方を右手の指で摘持し、図５の左方に位置するテープファスナ２７の他方を左手で摘持する（図１５参照）。右手でエンドフラップ１２を伸展させ、左手でサイドフラップ１６を伸長させながら、サイドフラップ１６が着用者の腹部の側に位置するように、サイドフラップ１６の他方を折り曲げるとともに、サイドフラップ１６を前胴周り域８のエンドフラップ１２とサイドフラップ１４との外側に重ね合わせ、フラップ１２，１３，１６による着用者の胴周りの締め付けを調節しつつ、フック２８を介してテープファスナ２７の自由部２７ｂをターゲットテープ２９の外面に止着する。
【００６７】
前後胴周り域８，１０が連結されたおむつ１Ａには、胴周り開口と一対の脚周り開口とが形成される（図示せず）。おむつ１Ａの着用中に排泄された排泄物は、排泄物吸収部１１において表面シート２を透過してコア４に吸収、保持される。
【００６８】
保護者や介護者は、滑り止めシート３３を指で摘持しながらエンドフラップ１２を横方向へ伸展させるので、エンドフラップ１２を摘持する指が滑ることはなく、第２胴周り用弾性部材６Ｂを横方向へ十分に伸長させた状態で着用者におむつ１Ｃを装着することができる。おむつ１Ｃは、前胴周り域８のエンドフラップ１２が弾性部材６Ｂの収縮力によって着用者の胴周りに密着するので、前胴周り域８のエンドフラップ１２と着用者の肌との間に隙間が生じることはなく、おむつ１Ｃの着用中に排泄物がエンドフラップ１２からおむつ１Ｃの外側に漏れてしまうことはない。おむつ１Ｃは、滑り止めシート３３が胴周り用弾性部材６Ｂの横方向両端部６ｂから横方向外方へ延びる仮想延長線３４上に配置され、シート３３を指で摘持してフラップ１２を横方向へ伸展させたときに、その力が弾性部材６Ｂに直接作用するので、弾性部材６Ｂを横方向へ確実に伸長させることができる。
【００６９】
おむつ１Ｃは、テープファスナ２７の自由部２７ｂをターゲットテープ２９に止着するときに、伸縮性シート２３から形成された後胴周り域１０のサイドフラップ１６が横方向へ伸長されるので、フラップ１６を着用者の胴周りの締め付けに利用することができる。おむつ１Ｃは、第１および第２胴周り用弾性部材６Ａ，６Ｂとサイドフラップ１６との収縮力によって前後胴周り域８，１０のエンドフラップ１２，１３とサイドフラップ１４，１６とが着用者の胴周りに密着し、それらフラップ１２，１３，１４，１６がずれ動くことはなく、おむつ１Ｃの着用位置からのずれ下がりを防ぐことができる。
【００７０】
おむつ１Ｃは、滑り止めシート３３にそれらフラップ１２，１４と異なる色の着色が施されているので、保護者や介護者がおむつ１Ｃの装着時にエンドフラップ１２のうちの指で摘持する部分を確実に認識することができる。おむつ１Ｃは、その外側に下穿きを着用すると、滑り止めシート２０，３３がその摩擦力によって下穿きの内側にへばりつくので、下穿きが支えとなっておむつ１Ｃのずれ下がりを防ぐことができる。
【００７１】
図１６，１７は、他の一例として示すおむつ１Ｄの部分破断斜視図と、図１６のＸＶＩＩ−ＸＶＩＩ線端面図とである。図１６では、横方向を矢印Ｌ、縦方向を矢印Ｍで示し、厚み方向を矢印Ｎで示す。
【００７２】
このおむつ１Ｄは、図８のおむつ１Ｂのエンドフラップ１２に滑り止めシート３３を取り付けた形態である。おむつ１Ｄのその他の構成は、図８のおむつ１Ｂと同一であり、図８のおむつ１Ｂと同一の符号を付してその他の構成の説明を省略する。
【００７３】
前胴周り域８のエンドフラップ１２およびサイドフラップ１４の肌非当接面には、それらフラップ１２，１４よりも高い摩擦力を有する滑り止めシート３３が取り付けられている。シート３３は、第２胴周り用弾性部材６Ｂの横方向両端部６ｂの外側近傍に延びるエンドフラップ１２と、サイドフラップ１４のほぼ全域とに取り付けられている。エンドフラップ１２に取り付けられたシート３３は、弾性部材６Ｂの両端部６ｂから横方向外方へ延びる仮想延長線３４上に配置されている。シート３３は、その全体に塗布された接着剤（図示せず）を介してエンドフラップ１２を形成する裏面シート３の端部３ａ外面とサイドフラップ１４を形成する裏面シート３の側部３ｂ外面とに固着されている。
【００７４】
滑り止めシート３３は、図１のそれと同一であり、ゴム状弾性を有する熱可塑性合成樹脂製の弾性繊維から形成された繊維不織布２２、または、ゴム状弾性を有する熱可塑性合成樹脂製の弾性繊維と熱可塑性合成樹脂製の非弾性繊維とから形成された繊維不織布２２である。シート３３には、エンドフラップ１２やサイドフラップ１４の色と異なる色の着色が施されている。
【００７５】
おむつ１Ｄでは、滑り止めシート２０，３３がエンドフラップ１２，１３とサイドフラップ１４，１６との肌非当接面と肌当接面とに取り付けられていてもよく、シート２０，３３がそれらフラップ１２，１３，１４，１６の肌当接面のみに取り付けられていてもよい。
【００７６】
このおむつ１Ｄの装着手順は、図１４，１５のそれと同一であり、その説明は省略する。保護者や介護者は、滑り止めシート３３を指で摘持しながらエンドフラップ１２を横方向へ伸展させるので、エンドフラップ１２を摘持する指が滑ることはなく、第２胴周り用弾性部材６Ｂを横方向へ十分に伸長させた状態で着用者におむつ１Ｄを装着することができる。おむつ１Ｄは、前胴周り域８のエンドフラップ１２が弾性部材６Ｂの収縮力によって着用者の胴周りに密着するので、前胴周り域８のエンドフラップ１２と着用者の肌との間に隙間が生じることはなく、おむつ１Ｄの着用中に排泄物がエンドフラップ１２からおむつ１Ｄの外側に漏れてしまうことはない。おむつ１Ｄは、その外側に下穿きを着用すると、滑り止めシート２０，３３がその摩擦力によって下穿きの内側にへばりつくので、下穿きが支えとなっておむつ１Ｄのずれ下がりを防ぐことができる。
【００７７】
滑り止めシート３３の動摩擦係数は、０．５〜１．５の範囲にある。シート３３の動摩擦係数が０．５未満では、保護者や介護者がエンドフラップ１２を横方向へ伸展させるときに、フラップ１２を摘持する指が滑る場合があり、胴周り用弾性部材６Ｂの伸長が不十分な状態でおむつ１Ｃ，１Ｄを装着してしまう場合がある。
【００７８】
滑り止めシート３３の動摩擦係数の測定方法は、図１のそれと同一である。シート３３の引張強度や坪量、厚み寸法は、図１のそれらと同一である。また、シート３３を形成する弾性繊維や非弾性繊維の繊度は、図１のそれと同一である。おむつ１Ｃ，１Ｄの第１および第２胴周り用弾性部材６Ａ，６Ｂの横方向の伸長応力は、図１のそれと同一である。
【００７９】
表面シート２には、多数の開孔を有する疎水性繊維不織布や微細な多数の開孔を有するプラスチックフィルムのいずれかを使用することもできる。裏面シート３には、通気疎水性繊維不織布、通気不透液性プラスチックフィルム、通気疎水性繊維不織布どうしをラミネートした複合不織布のいずれかを使用することもできる。防漏シート５には、通気疎水性繊維不織布どうしをラミネートした複合不織布、通気疎水性繊維不織布と通気不透液性プラスチックフィルムとをラミネートした複合シートのいずれかを使用することもできる。
【００８０】
裏面シート３や防漏シート５には、高い耐水性を有するメルトブローン法による繊維不織布の少なくとも片面に、高い強度と良好な柔軟性とを有するスパンボンド法による繊維不織布をラミネートした複合不織布（ＳＭ不織布、ＳＭＳ不織布）を使用することもできる。
【００８１】
表裏面シート２，３や防漏シート５、後胴周り域１３のサイドフラップ１６、テープファスナ２７、ターゲットテープ２９を形成する繊維不織布には、スパンレース、ニードルパンチ、メルトブローン、サーマルボンド、スパンポンド、ケミカルボンドの各製法により製造されたものを使用することができる。
【００８２】
親水性繊維不織布は、親水化処理が施された合成繊維、半合成繊維、再生繊維のうちのいずれか、または、それら繊維を混合した複合繊維から作ることができる。疎水性繊維不織布は、合成繊維から作ることができる。疎水性繊維不織布には、撥水処理が施された半合成繊維や再生繊維が含まれていてもよい。合成繊維には、特に限定はないが、ポリエステル系、ポリアクリロニトリル系、ポリ塩化ビニル系、ポリエチレン系、ポリプロピレン系、ポリスチレン系を使用することができる。合成繊維には、芯鞘型複合繊維、並列型複合繊維、異型中空繊維、微多孔繊維、接合型複合繊維を使用することもできる。
【００８３】
接着剤には、ホットメルト型接着剤を使用することが好ましい。接着剤には、ホットメルト型接着剤の他に、アクリル系接着剤やゴム系接着剤のいずれかを使用することもできる。接着剤は、表裏面シート２，３や防漏シート５にスパイラル状やジグザグ状、ドット状、縞状のうちのいずれかの態様で塗布されていることが好ましい。接着剤をそれらの態様で表裏面シート２，３や防漏シート５に塗布すると、それらシート２，３，５どうしが断続的に固着されるとともに、コア４がシート２，３に断続的に固着される。
【００８４】
【発明の効果】
本発明にかかる使い捨ておむつによれば、第１胴周り用弾性部材の横方向両端部近傍に延びる後胴周り域のフラップ部に滑り止めシートが取り付けられているので、保護者や介護者が後胴周り域のフラップ部を横方向へ伸展させるときに、滑り止めシートによってフラップ部を摘持する指が滑ることはなく、後胴周り域のフラップ部に取り付けられた第１胴周り用弾性部材を横方向へ十分に伸長させた状態で着用者におむつを装着することができる。このおむつは、後胴周り域の横方向へ延びるフラップ部が第１胴周り用弾性部材の収縮力によって着用者の胴周りに密着するので、フラップ部と着用者の肌との間に隙間が生じることはなく、おむつの着用中に排泄物がフラップ部からおむつの外側に漏れてしまうことはない。
【００８５】
滑り止めシートが第１胴周り用弾性部材の横方向両端部から横方向外方へ延びる仮想延長線上に配置されたおむつは、滑り止めシートを指で摘持してフラップ部を横方向へ伸展させるときに、その力が第１胴周り用弾性部材に直接作用するので、弾性部材を横方向へ確実に伸長させることができる。
【００８６】
滑り止めシートが吸収部側縁の横方向外方に位置する後胴周り域のフラップ部のほぼ全域に取り付けられたおむつは、フラップ部のいずれの部分を摘持しても滑り止めシートが指に当接するので、フラップ部を摘持する指の滑りを確実に防ぐことができる。
【００８７】
滑り止めシートが第２胴周り用弾性部材の横方向両端部近傍に延びる前胴周り域のフラップ部に取り付けられたおむつは、保護者や介護者が前胴周り域のフラップ部を横方向へ伸展させるときに、滑り止めシートによってフラップ部を摘持する指が滑ることはなく、前胴周り域のフラップ部に取り付けられた第２胴周り用弾性部材を横方向へ十分に伸長させた状態で着用者におむつを装着することができる。このおむつは、前胴周り域の横方向へ延びるフラップ部が第２胴周り用弾性部材の収縮力によって着用者の胴周りに密着するので、フラップ部と着用者の肌との間に隙間が生じることはなく、おむつの着用中に排泄物がフラップ部からおむつの外側に漏れてしまうことはない。
【００８８】
滑り止めシートが第２胴周り用弾性部材の横方向両端部から横方向外方へ延びる仮想延長線上に配置されたおむつは、滑り止めシートを指で摘持してフラップ部を横方向へ伸展させるときに、その力が第２胴周り用弾性部材に直接作用するので、弾性部材を横方向へ確実に伸長させることができる。
【００８９】
滑り止めシートが吸収部側縁の横方向外方に位置する前胴周り域のフラップ部のほぼ全域に取り付けられたおむつは、フラップ部のいずれの部分を摘持しても滑り止めシートが指に当接するので、フラップ部を摘持する指の滑りを確実に防ぐことができる。
【００９０】
滑り止めシートにフラップ部と異なる色の着色が施されたおむつでは、保護者や介護者がおむつの装着時にフラップ部のうちの指で摘持する部分を確実に認識することができる。
【００９１】
フラップ部がエンドフラップとサイドフラップとから形成され、後胴周り域のサイドフラップが伸縮性シートから形成されたおむつでは、止着手段を介して前後胴周り域を連結するときに、後胴周り域のサイドフラップが横方向へ伸長されるので、フラップを着用者の胴周りの締め付けに利用することができる。このおむつは、胴周り用弾性部材とサイドフラップとの収縮力によってエンドフラップとサイドフラップとが着用者の肌に密着するので、それらフラップがずれ動くことはなく、おむつの着用位置からのずれ下がりを防ぐことができる。
【図面の簡単な説明】
【図１】一例として示すおむつの部分破断斜視図。
【図２】図１のＩＩ−ＩＩ線端面図。
【図３】図１のＩＩＩ−ＩＩＩ線矢視断面図。
【図４】図１のＩＶ−ＩＶ線矢視断面図。
【図５】装着の途中の状態を示すおむつの斜視図。
【図６】装着の途中の状態を示すおむつの斜視図。
【図７】動摩擦係数の測定の概略図。
【図８】他の一例として示すおむつの部分破断斜視図。
【図９】図８のＩＸ−ＩＸ線端面図。
【図１０】図８のＸ−Ｘ線矢視断面図。
【図１１】図７のＸＩ−ＸＩ線矢視断面図。
【図１２】他の一例として示すおむつの部分破断斜視図。
【図１３】図１２のＸＩＩＩ−ＸＩＩＩ線端面図。
【図１４】装着の途中の状態を示すおむつの斜視図。
【図１５】装着の途中の状態を示すおむつの斜視図。
【図１６】他の一例として示すおむつの部分破断斜視図。
【図１７】図１６のＸＶＩＩ−ＸＶＩＩ線端面図。
【符号の説明】
１Ａ          使い捨ておむつ
１Ｂ          使い捨ておむつ
２            透液性表面シート
３            不透液性裏面シート
４            吸液性コア
４ａ          両端縁
４ｂ          両側縁
６Ａ          第１胴周り用弾性部材
６ａ          横方向両端部
６Ｂ          第２胴周り用弾性部材
６ｂ          横方向両端部
８            前胴周り域
９            股下域
１０            後胴周り域
１１            排泄物吸収部
１１ａ          両端縁
１１ｂ          両側縁
１２            エンドフラップ（フラップ部）
１３            エンドフラップ（フラップ部）
１４            サイドフラップ（フラップ部）
１５            サイドフラップ（フラップ部）
１６            サイドフラップ（フラップ部）
２０            滑り止めシート
２１            仮想延長線
２３            伸縮性シート
２７            テープファスナ
２８            フック
２９            ターゲットテープ
３０            ループ
３３            滑り止めシート
３４            仮想延長線
【図１】
2005007021.tif 000003
【図２】
2005007021.tif 000004
【図３】
2005007021.tif 000005
【図４】
2005007021.tif 000006
【図５】
2005007021.tif 000007
【図６】
2005007021.tif 000008
【図７】
2005007021.tif 000009
【図８】
2005007021.tif 000010
【図９】
2005007021.tif 000011
【図１０】
2005007021.tif 000012
【図１１】
2005007021.tif 000013
【図１２】
2005007021.tif 000014
【図１３】
2005007021.tif 000015
【図１４】
2005007021.tif 000016
【図１５】
2005007021.tif 000017
【図１６】
2005007021.tif 000018
【図１７】
2005007021.tif 000019